【手続補正書】
【提出日】平成27年12月14日(2015.12.14)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、画像処理装置および画像処理方法に関し、詳しくは、記録素子間の記録特性のばらつきに起因した濃度むらを抑制するための補正処理された画像データに対してディザマトリクスを用いて量子化を行う画像処理に関するものである。
【手続補正３】
【補正対象書類名】明細書
【補正対象項目名】００１０
【補正方法】変更
【補正の内容】
【００１０】
ここで、テストパターンの記録と入力画像の記録とでは、図４に示すように、ノズル位置に対してディザマトリクスの適用位置が異なる場合がある。このため、ＨＳ解析で定めた、量子化ばらつきを含めた補正量に対応する画素（ノズル）位置が、入力画像の記録では、異なる画素（ノズル）位置、つまり、異なる量子化ばらつきの画素（ノズル）位置の画像データに適用されることがある。その結果、ＨＳ補正が適切に行われないことになり、入力画像の記録結果においてディザマトリクスを用いた量子化による、上述した濃度ばらつきが発生することになる。そして、上述したように、ディザ法は、例えば誤差拡散法よりも量子化による濃度ばらつきが大きいことから、上記濃度ばらつきの問題は、量子化にディザ法を用いる場合により顕著となる。
【手続補正４】
【補正対象書類名】明細書
【補正対象項目名】００１２
【補正方法】変更
【補正の内容】
【００１２】
本発明は、絶対位置対応のＨＳ補正と相対位置対応のディザマトリクスによる量子化の適用位置の不適合に起因した濃度ばらつきを解消することが可能な画像処理装置および画像処理方法を提供することを目的とする。
【手続補正５】
【補正対象書類名】明細書
【補正対象項目名】００１３
【補正方法】変更
【補正の内容】
【００１３】
そのために本発明では、複数の記録素子を配列した記録素子列を用いて記録媒体に記録を行うための記録データを生成する画像処理装置であって、ディザマトリクスを用いて量子化されたテストパターンのデータに基づいて記録したテストパターンの測定結果に基づいて前記記録素子の配列方向における単位領域ごとに補正パラメータを取得する取得手段と、画像データに対して前記配列方向における前記単位領域ごとに、前記補正パラメータを切り替えて適用する補正手段と、前記補正手段によって補正された画像データを、前記ディザマトリクスを用いて量子化し、記録データを生成する手段であって、前記ディザマトリクスが、記録媒体において、複数の記録素子の前記配列方向における所定のサイズを有した領域が連続して前記配列方向に配列される、それぞれの前記領域に対して用いられる、量子化手段と、を具え、前記テストパターンを量子化する際に前記ディザマトリクスが複数の前記領域に対して繰り返して用いられる当該ディザマトリクスの前記記録素子列に対する位相と、前記画像データを量子化する際に前記ディザマトリクスが複数の前記領域に対して繰り返して用いられる当該ディザマトリクスの前記記録素子列に対する位相と、が一致したことを特徴とする。
【手続補正６】
【補正対象書類名】明細書
【補正対象項目名】００２６
【補正方法】変更
【補正の内容】
【００２６】
図７は、本発明の第１実施形態にかかる、インクジェットプリンタが実行する画像処理の構成を示すブロック図である。すなわち、本実施形態は、図６に示したプリンタ１００の制御、処理のための各要素によって画像処理部を構成するものである。なお、本発明の適用はこの形態に限られないことはもちろんである。例えば、図６に示したＰＣ３００において画像処理部が構成されてもよく、あるいは画像処理部の一部がＰＣ３００において構成され、その他の部分がプリンタ１００において構成されてもよい。本明細書では、これらの画像処理部を画像処理装置ともいう。
【手続補正７】
【補正対象書類名】明細書
【補正対象項目名】００２９
【補正方法】変更
【補正の内容】
【００２９】
ＭＣＳ（Ｍｕｌｔｉ  Ｃｏｌｏｒ  Ｓｈａｄｉｎｇ）処理部４０４は、入力色変換処理部５０３によって変換された画像データに対して、色味の差を補正する変換処理を行う。ＭＣＳ処理部４０４は、三次元ルックアップテーブルからなる変換テーブル（補正テーブル）を用い、処理単位ごとに画像データを補正する。この補正処理を行うことにより、従来のＨＳ処理では補正できなかった色差を低減することができる。すなわち、出力部４１０の記録ヘッドにおけるノズルの吐出特性のばらつきに起因する色差を低減することができる。
【手続補正８】
【補正対象書類名】明細書
【補正対象項目名】００３５
【補正方法】変更
【補正の内容】
【００３５】
出力部４１０は、列分配処理部４０９を介して、またはディザ処理部４０８から直接得られた、２値データ（ドットデータ）に基づいて、記録ヘッドを駆動し記録媒体に各色のインクを吐出して記録を行う。本実施形態において、出力部４１０は、図５に示した記録ヘッド１０１〜１０４を備えた記録機構によって構成される。
【手続補正９】
【補正対象書類名】特許請求の範囲
【補正対象項目名】全文
【補正方法】変更
【補正の内容】
【特許請求の範囲】
【請求項１】
複数の記録素子を配列した記録素子列を用いて記録媒体に記録を行うための記録データを生成する画像処理装置であって、
ディザマトリクスを用いて量子化されたテストパターンのデータに基づいて記録したテストパターンの測定結果に基づいて前記記録素子の配列方向における単位領域ごとに補正パラメータを取得する取得手段と、
画像データに対して前記配列方向における前記単位領域ごとに、前記補正パラメータを切り替えて適用する補正手段と、
前記補正手段によって補正された画像データを、前記ディザマトリクスを用いて量子化し、記録データを生成する手段であって、前記ディザマトリクスが、記録媒体において、複数の記録素子の前記配列方向における所定のサイズを有した領域が連続して前記配列方向に配列される、それぞれの前記領域に対して用いられる、量子化手段と、を具え、
前記テストパターンを量子化する際に前記ディザマトリクスが複数の前記領域に対して繰り返して用いられる当該ディザマトリクスの前記記録素子列に対する位相と、前記画像データを量子化する際に前記ディザマトリクスが複数の前記領域に対して繰り返して用いられる当該ディザマトリクスの前記記録素子列に対する位相と、が一致したことを特徴とする画像処理装置。
【請求項２】
複数の前記記録素子列を用い、前記量子化手段によって量子化され生成された記録データを、前記複数の記録素子列のいずれかの記録素子列の記録素子に分配するかを、分配パターンを用いて決定する手段であって、前記分配パターンが、記録媒体において、複数の記録素子の前記配列方向における所定の分配パターンサイズを有した分配パターン領域が連続して前記配列方向に配列される、それぞれの前記分配パターン領域に対して用いられる、記録素子列分配手段をさらに具え、
前記テストパターンを量子化する際に前記ディザマトリクスが複数の前記領域に対して繰り返して用いられるときの当該ディザマトリクスの前記記録素子列に対する位相と、前記画像データを量子化する際に前記ディザマトリクスが複数の前記領域に対して繰り返して用いられるときの当該ディザマトリクスの前記記録素子列に対する位相と、さらに、前記ディザマトリクスを適用して量子化された前記テストパターンのデータに適用した分配パターンの、複数の前記分配パターン領域に対して繰り返して用いられるときの当該分配パターンの前記記録素子列に対する位相と、前記画像データの前記ディザマトリクスを適用して量子化された記録データに適用した分配パターンの、複数の前記分配パターン領域に対して繰り返して用いられるときの当該分配パターンの前記記録素子列に対する位相と、が一致したことを特徴とする請求項１に記載の画像処理装置。
【請求項３】
前記補正パラメータは、一次色を補正する一次元ルックアップテーブルのパラメータであることを特徴とする請求項１または２に記載の画像処理装置。
【請求項４】
前記補正パラメータは、複数色の混色を補正する三次元ルックアップテーブルのパラメータであることを特徴とする請求項１または２に記載の画像処理装置。
【請求項５】
前記記録素子列を用いて記録媒体に記録を行う記録手段、をさらに具えたことを特徴とする請求項１ないし４のいずれか１項に記載の画像処理装置。
【請求項６】
複数の記録素子を配列した記録素子列を用いて記録媒体に記録を行うための記録データを生成するための画像処理方法であって、
ディザマトリクスを用いて量子化されたテストパターンのデータに基づいて記録したテストパターンの測定結果に基づいて前記記録素子の配列方向における単位領域ごとに補正パラメータを取得する取得工程と、
画像データに対して前記配列方向における前記単位領域ごとに、前記補正パラメータを切り替えて適用する補正工程と、
前記補正工程で補正された画像データを、前記ディザマトリクスを用いて量子化し、記録データを生成する工程であって、前記ディザマトリクスが、記録媒体において、複数の記録素子の前記配列方向における所定のサイズを有した領域が連続して前記配列方向に配列される、それぞれの前記領域に対して用いられる、量子化工程と、を有し、
前記テストパターンを量子化する際に前記ディザマトリクスが複数の前記領域に対して繰り返して用いられる当該ディザマトリクスの前記記録素子列に対する位相と、前記画像データを量子化する際に前記ディザマトリクスが複数の前記領域に対して繰り返して用いられる当該ディザマトリクスの前記記録素子列に対する位相と、が一致したことを特徴とする画像処理方法。
【請求項７】
複数の前記記録素子列を用い、前記量子化工程によって量子化され生成された記録データを、前記複数の記録素子列のいずれかの記録素子列の記録素子に分配するかを、分配パターンを用いて決定する工程であって、前記分配パターンが、記録媒体において、複数の記録素子の前記配列方向における所定の分配パターンサイズを有した分配パターン領域が連続して前記配列方向に配列される、それぞれの前記分配パターン領域に対して用いられる、記録素子列分配工程をさらに有し、
前記テストパターンを量子化する際に前記ディザマトリクスが複数の前記領域に対して繰り返して用いられるときの当該ディザマトリクスの前記記録素子列に対する位相と、前記画像データを量子化する際に前記ディザマトリクスが複数の前記領域に対して繰り返して用いられるときの当該ディザマトリクスの前記記録素子列に対する位相と、さらに、前記ディザマトリクスを適用して量子化された前記テストパターンのデータに適用した分配パターンの、複数の前記分配パターン領域に対して繰り返して用いられるときの当該分配パターンの前記記録素子列に対する位相と、前記画像データの前記ディザマトリクスを適用して量子化された記録データに適用した分配パターンの、複数の前記分配パターン領域に対して繰り返して用いられるときの当該分配パターンの前記記録素子列に対する位相と、が一致したことを特徴とする請求項６に記載の画像処理方法。
【請求項８】
前記補正パラメータは、一次色を補正する一次元ルックアップテーブルのパラメータであることを特徴とする請求項６または７に記載の画像処理方法。
【請求項９】
前記補正パラメータは、複数色の混色を補正する三次元ルックアップテーブルのパラメータであることを特徴とする請求項６または７に記載の画像処理方法。
【手続補正１０】
【補正対象書類名】図面
【補正対象項目名】図２
【補正方法】変更
【補正の内容】
【図２】
2014100796.tif 000001
【手続補正１１】
【補正対象書類名】図面
【補正対象項目名】図４
【補正方法】変更
【補正の内容】
【図４】
2014100796.tif 000002
【手続補正１２】
【補正対象書類名】図面
【補正対象項目名】図８
【補正方法】変更
【補正の内容】
【図８】
2014100796.tif 000003
【手続補正１３】
【補正対象書類名】図面
【補正対象項目名】図９
【補正方法】変更
【補正の内容】
【図９】
2014100796.tif 000004
【手続補正１４】
【補正対象書類名】図面
【補正対象項目名】図１１
【補正方法】変更
【補正の内容】
【図１１】
2014100796.tif 000005
【手続補正１５】
【補正対象書類名】図面
【補正対象項目名】図１２
【補正方法】変更
【補正の内容】
【図１２】
2014100796.tif 000006
【手続補正１６】
【補正対象書類名】図面
【補正対象項目名】図１３
【補正方法】変更
【補正の内容】
【図１３】
2014100796.tif 000007
【手続補正１７】
【補正対象書類名】図面
【補正対象項目名】図１４
【補正方法】変更
【補正の内容】
【図１４】
2014100796.tif 000008
【手続補正１８】
【補正対象書類名】図面
【補正対象項目名】図１５
【補正方法】変更
【補正の内容】
【図１５】
2014100796.tif 000009
【手続補正１９】
【補正対象書類名】図面
【補正対象項目名】図１８
【補正方法】変更
【補正の内容】
【図１８】
2014100796.tif 000010
【手続補正２０】
【補正対象書類名】図面
【補正対象項目名】図１９
【補正方法】変更
【補正の内容】
【図１９】
2014100796.tif 000011